(57)【要約】【課題】  摺動箇所が摩耗しても、揺動した液晶表示ユニットを任意の角度で停止する液晶表示ユニットの支持構造を提供する。【解決手段】  支持体に取り付けた液晶表示ユニットを揺動可能に支持する液晶表示ユニットの支持構造において、前記液晶表示ユニットまたは前記支持体の一方に、前記液晶表示ユニットの揺動軸方向の両側に前記液晶表示ユニットまたは前記支持体の他方に向けて突出する一対の軸部を設け、前記液晶表示ユニットまたは前記支持体の他方に、前記軸部の少なくとも一方の外周を覆い前記軸部と摺動する筒部を有し前記筒部に前記揺動軸方向に沿ったスリットを少なくとも１箇所形成した軸受を設け、前記筒部の前記スリットの形成された箇所を内周側に締め付ける締付部材を備える。【選択図】      図１
2005084488.tif 000002
【特許請求の範囲】
【請求項１】
支持体に取り付けた液晶表示ユニットを揺動可能に支持する液晶表示ユニットの支持構造において、
前記液晶表示ユニットまたは前記支持体の一方に、前記液晶表示ユニットの揺動軸方向の両側に前記液晶表示ユニットまたは前記支持体の他方に向けて突出する一対の軸部を設け、
前記液晶表示ユニットまたは前記支持体の他方に、前記軸部の少なくとも一方の外周を覆い前記軸部と摺動する筒部を有し前記筒部に前記揺動軸方向に沿ったスリットを少なくとも１箇所形成した軸受を設け、
前記筒部の前記スリットの形成された箇所を内周側に締め付ける締付部材を備えることを特徴とする液晶表示ユニットの支持構造。
【請求項２】
前記液晶表示ユニットに前記軸部を設け、前記支持体に前記軸受を設けることを特徴とする請求項１記載の液晶表示ユニットの支持構造。
【請求項３】
前記液晶表示ユニットと外部の電気部品とを電気的に接続するケーブルを備え、
前記液晶表示ユニットの前記揺動軸方向の両側に設けられた前記軸部の一方は前記液晶表示ユニットの内外を連通する筒状に形成されており、前記ケーブルは筒状の前記軸部内を通っていることを特徴とする請求項２記載の液晶表示ユニットの支持構造。
【請求項４】
前記軸受は前記支持体に脱着可能に取り付けられることを特徴とする請求項２または３記載の液晶表示ユニットの支持構造。
【請求項５】
前記筒部は有底筒状に形成されており、前記軸受は、前記筒部の底部外側から突出し前記支持体に取り付けられる取付部を有することを特徴とする請求項４記載の液晶表示ユニットの支持構造。
【請求項６】
前記軸受は、前記支持体に嵌合し前記軸受の位置決めをする位置決め突部を有することを特徴とする請求項４または５記載の液晶表示ユニットの支持構造。
【請求項７】
前記軸受および前記軸部は樹脂製であることを特徴とする請求項１から６のいずれか一項記載の液晶表示ユニットの支持構造。
【発明の詳細な説明】
【技術分野】
【０００１】
本発明は、液晶表示ユニットの支持構造に関する。
【背景技術】
【０００２】
液晶画面を有する液晶表示ユニットには、見る角度によって液晶画面が見ずらくなるという問題がある。そこで、液晶表示ユニットを揺動させ適切な角度で液晶画面を見ることができる液晶表示ユニットの支持構造が採用されている。例えば、液晶表示ユニットを支持体で揺動可能に支持する構造において、液晶表示ユニットの揺動軸上に支持体に向けて突出する軸部を揺動軸方向両側に設け、支持体に設けた軸受に液晶表示ユニットの軸部を嵌合して軸部を軸受けすることが考えられる。この構造では、見えやすい角度に液晶表示ユニットを揺動したときに、軸部と軸受との摺動箇所に働く摩擦力により、液晶表示ユニットが任意の角度で停止することが要求される。
【発明の開示】
【発明が解決しようとする課題】
【０００３】
しかしながら、液晶表示ユニットの軸部と支持体の軸受とが液晶表示ユニットの揺動により摺動すると、軸部と軸受との摺動箇所が摩耗する。その結果、軸部と軸受との間に働く摩擦力が低下し、液晶表示ユニットが任意の角度で停止できなくなるという問題がある。
本発明は、このような問題に鑑みて創作されたものであって、摺動箇所が摩耗しても、揺動した液晶表示ユニットを任意の角度で停止する液晶表示ユニットの支持構造を提供することを目的とする。
【課題を解決するための手段】
【０００４】
上記目的を達成するため、本発明に係る液晶表示ユニットの支持構造は、支持体に取り付けた液晶表示ユニットを揺動可能に支持する液晶表示ユニットの支持構造において、前記液晶表示ユニットまたは前記支持体の一方に、前記液晶表示ユニットの揺動軸方向の両側に前記液晶表示ユニットまたは前記支持体の他方に向けて突出する一対の軸部を設け、前記液晶表示ユニットまたは前記支持体の他方に、前記軸部の少なくとも一方の外周を覆い前記軸部と摺動する筒部を有し前記筒部に前記揺動軸方向に沿ったスリットを少なくとも１箇所形成した軸受を設け、前記筒部の前記スリットの形成された箇所を内周側に締め付ける締付部材を備えることを特徴とする。締付部材でスリットの形成された箇所の軸受の筒部を内周側に締め付けることにより、軸部を軸受けしている軸受は内周側に容易に変形し軸部の外周に押し付けられる。したがって、液晶表示ユニットが揺動することにより軸部とスリットを形成した軸受との摺動箇所が摩耗しても、軸部と軸受との摺動箇所に摩擦力が働くので、揺動した液晶表示ユニットを任意の角度で停止できる。
【０００５】
本発明に係る液晶表示ユニットの支持構造によると、前記液晶表示ユニットに前記軸部を設け、前記支持体に前記軸受を設けることを特徴とする。液晶表示ユニットに揺動軸方向に突出する軸部を設け、支持体に軸受を設けることにより、支持体に液晶表示ユニットを取り付けるときに軸受に軸部を嵌合させやすい。
【０００６】
本発明に係る液晶表示ユニットの支持構造によると、前記液晶表示ユニットと外部の電気部品とを電気的に接続するケーブルを備え、前記液晶表示ユニットの前記揺動軸方向の両側に設けられた前記軸部の一方は前記液晶表示ユニットの内外を連通する筒状に形成されており、前記ケーブルは筒状の前記軸部内を通っていることを特徴とする。揺動軸上に設けられた軸部内にケーブルを通すことにより、液晶表示ユニットが揺動してもケーブルのねじれ量を極力小さくすることができる。したがって、ケーブルの破損を防止できる。
【０００７】
本発明に係る液晶表示ユニットの支持構造によると、前記軸受は前記支持体に脱着可能に取り付けられることを特徴とする。支持体に両軸受を取り付けた状態で液晶表示ユニットの軸部を軸受に嵌合することは困難である。そこで、液晶表示ユニットを取付位置の近傍に設置してから少なくとも一方のスリットを形成した軸受を液晶表示ユニットの軸部に嵌合し、それからスリットを形成した軸受を支持体に取り付ける構成を採用することにより、狭い作業空間であっても、支持体に液晶表示ユニットを容易に取り付けることができる。
【０００８】
本発明に係る液晶表示ユニットの支持構造によると、前記筒部は有底筒状に形成されており、前記軸受は、前記筒部の底部外側から突出し前記支持体に取り付けられる取付部を有することを特徴とする。スリットを形成した軸受は支持体に取り付けるための専用の取付部を有しているので、支持体に軸受を容易に取り付けることができる。
本発明に係る液晶表示ユニットの支持構造によると、前記軸受は、前記支持体に嵌合し前記軸受の位置決めをする位置決め突部を有することを特徴とする。支持体にスリットを形成した軸受を取り付けるときの位置決めが容易である。
【０００９】
本発明に係る液晶表示ユニットの支持構造によると、前記軸受および前記軸部は樹脂製であることを特徴とする。軸部および軸受が樹脂製であると、軸部と軸受との摺動箇所が摩耗しやすい。しかし、締付部材が軸受を内周側に締め付け軸部の外周に押し付けているので、軸部と軸受との摺動箇所が摩耗しても、液晶表示ユニットを任意の角度で停止できる摩擦力が軸部と軸受との摺動部に働く。
【発明を実施するための最良の形態】
【００１０】
以下、本発明の実施の形態を実施例に基づいて説明する。
図５は本発明の一実施例による液晶表示ユニットの支持構造を採用した画像入出力装置としての複合機１を示す斜視図である。図５において、液晶表示ユニット５０は操作パネル４の中央に設置されている。図６は複合機１を示す模式図である。複合機１は、図６に示すように画像読み取り部としてのスキャナ部２と、インクジェットプリンタとしてのプリンタ部３とを上下の２段で組み合わせたものである。スキャナ部２はイメージスキャナとして原稿の読み取り機能を実現し、プリンタ部３はプリンタとして画像の印刷機能を実現する。
【００１１】
スキャナ部２は、原稿Ｍを載置するための原稿台１１を備える箱形の可動ハウジング１２を有し、所謂フラットベッド型のスキャナを構成している。可動ハウジング１２の外部には、原稿台１１の盤面を覆う原稿台カバー１３が揺動可能に連結されている。可動ハウジング１２の内部には、キャリッジ１４、光源１５、ミラー１６、レンズ１７、リニアイメージセンサ１８及び処理回路１９が収容されている。キャリッジ１４は、原稿台１１の盤面と平行な水平方向に往復移動可能に設けられ、光源１５、ミラー１６及びレンズ１７からなる光学系とリニアイメージセンサ１８とを図６のα方向に運搬する。図６に破線で示すように、光学系は光源１５により照射された原稿Ｍの反射光像をミラー１６及びレンズ１７でリニアイメージセンサ１８に結像する。処理回路１９は、リニアイメージセンサ１８からの出力信号に基づいて原稿像を表すディジタル画像を作成し、作成したディジタル画像をプリンタ部３に出力する。
【００１２】
プリンタ部３は、樹脂等で形成された箱形の固定ハウジング２０を有し、その上側に可動ハウジング１２がヒンジにより揺動可能に連結されている。固定ハウジング２０は上部材２０ａと下部材２０ｂとで構成されている。固定ハウジング２０の内部には、キャリッジ４０、記録ヘッド４１、複数のインクカートリッジ４２、用紙搬送機構４３、吸収材４４、廃液管４５、図示しないクリーニング機構などが収容されている。
【００１３】
記録ヘッド４１は、インク滴を噴射するインクジェット方式により印刷媒体に画像を印刷する。キャリッジ４０は水平方向に往復移動可能に設けられ、搭載した複数のインクカートリッジ４２及び記録ヘッド４１を図６のβ方向に運搬する。各インクカートリッジ４２は、記録ヘッド４１に供給するインクを収容する。各インクカートリッジ４２の収容インクは、互いに異なる色のカラーインクである。記録ヘッド４１は、各インクカートリッジ４２からの供給インクを滴状に吐出する複数の図示しないノズルを備えている。クリーニング機構は、キャップ部材４６、キャップ部材４６を昇降させる図示しない昇降機構、ノズル内のインクを吸引する図示しない吸引ポンプなどを備える。キャリッジ４０が所定のホームポジションに定位するとき、キャップ部材４６は昇降機構によって上昇し、記録ヘッド４１のうち各ノズルの吐出口を形成する部分を気密に覆う。キャップ部材４６には廃液管４５の上流側端部４５ａが接続されており、その下流側端部４５ｂは吸収材４４の下に係止されている。用紙搬送機構４３は、固定ハウジング２０の図示しない給紙口に供給された印刷媒体を所定の印刷位置まで搬送する。さらに搬送機構は、印刷位置で画像の印刷された印刷媒体を搬送して固定ハウジング２０の図示しない排紙口から排出する。制御回路４７は処理回路１９に電気的に接続され、処理回路１９から出力されたディジタル画像に基づいてキャリッジ４０及び用紙搬送機構４３の作動を制御する。
【００１４】
図５に示す液晶表示ユニット５０の液晶画面５２には、操作パネル４によって設定された各種項目が表示される。図１および図２に示すように、液晶表示ユニット５０は、支持体である操作パネル４の筐体６０により、図１および図２に示すＸ、Ｙ方向に揺動可能に支持されている。液晶画面５２は液晶表示ユニット５０の樹脂製のハウジング５４に取り付けられている。図３に示すように、液晶表示ユニット５０は、揺動軸１００の軸上において操作パネル４に向けて揺動軸１００の軸方向両側に突出する軸部５５、５６をハウジング５４と一体に樹脂成形している。軸部５５は液晶表示ユニット５０の内外を連通する円筒状に形成されており、軸受６４に軸受けされている。軸部５６は軸受７０により軸受けされている。軸受６４、７０は樹脂製でありそれぞれ筐体６０に固定されている。図１に示すように、軸受７０はビス６２で筐体６０に固定されている。
【００１５】
次に、軸受７０の構造を詳細に説明する。図４に示すように、軸受７０は、筒部７２と、取付部としての鍔部７６とを有している。筒部７２は有底円筒状に形成されており、揺動軸１００の軸方向に沿って径方向反対側に２箇所スリット７３が形成されている。筒部７２の開口側のスリット７３の両側に２個づつ４個の突部７４が形成されている。
【００１６】
鍔部７６は板状に形成されており、筒部７２の底部７５の外側から突出している。鍔部７６には、鍔部７６の板厚方向に突出する位置決め突部７８が形成されている。位置決め突部７８は、筐体６０に形成された図示しない位置決め穴に嵌合することにより、筐体６０に取り付けるときの軸受７０の位置決めを行う。鍔部７６には、鍔部７６を板厚方向に貫通する取付穴７９が形成されている。この取付穴７９にビス６２が挿入される。
【００１７】
締付部材としてのリングばね８０は、円周の一箇所に切れ目がある円環部８２と、円環部８２の切れ目の両端に設けられた係止部８３とを有している。円環部８２は、スリット７３の両側にそれぞれ２個形成された突部７４同士の間を通り、スリット７３の形成されている箇所の筒部７２の外周に嵌合している。円環部８２で筒部７２を締め付けるように係止部８３は突部７４に係止されている。リングばね８０の締付力により、筒部７２は軸部５６の外周に押し付けられている。
【００１８】
液晶表示ユニット５０を操作パネル４に取り付けるとき、まず軸部５５を軸受６４に嵌合し、軸部５６側を取付位置の近傍まで移動する。この状態で軸部５６に軸受７０の筒部７２を嵌合し、軸受７０の位置決め突部７８を筐体６０の位置決め穴に嵌合する。そして、ビス６２で軸受７０を筐体６０に固定する。軸受７０を軸部５６に嵌合した状態で筐体６０に軸受７０を取り付けるよりも、軸部５６を取付位置の近傍まで移動してから軸受７０を軸部５６に嵌合し軸受７０を筐体６０に固定する方が、狭い取付空間であっても液晶表示ユニット５０を容易に操作パネル４に取り付けることができる。
フラットケーブル９０は、軸部５５内を通っており、液晶表示ユニット５０と液晶表示ユニット５０の外部の電気部品とを電気的に接続している。
【００１９】
以上説明した上記実施例では、液晶表示ユニット５０を揺動軸１００回りに揺動し軸部５６と軸受７０とが摺動することにより樹脂製の軸部５６の外周および軸受７０の内周が摩耗しても、リングばね８０の締付力により軸受７０の筒部７２の内周は常に軸部５６の外周に押し付けられている。したがって、軸部５６の外周および軸受７０の内周が摩耗しても、軸部５６と軸受７０との摺動部に働く摩擦力の低下を防止できる。この軸部５６と軸受７０との摺動部に働く摩擦力により、液晶表示ユニット５０を揺動しても、液晶表示ユニット５０を任意の角度に保持できる。
【００２０】
（他の実施例）
上記実施例では液晶表示ユニット５０の一方の軸部５６だけをスリット７３を形成した軸受７０で軸受けしたが、液晶表示ユニット５０の軸部５５、５６の両方をスリット７３を形成した軸受７０で軸受けしてもよい。
また、液晶表示ユニット５０に軸部５５、５６を設け、支持体としての筐体６０にスリット７３を設けた軸受７０を取り付けたが、筐体６０側に軸部を設け、液晶表示ユニット５０側にスリットを設けた軸受を取り付けてもよい。
【００２１】
また、軸部５５、５６をハウジング５４と別体にしてもよいし、軸受６４、７０を筐体６０と一体に成形してもよい。また、軸部５５、５６および軸受６４、７０を樹脂以外の材質で形成してもよい。
上記実施例では、軸受７０の鍔部７６に設けた位置決め突部７８を筐体６０の位置決め穴に嵌合することにより、筐体６０に対し軸受７０の位置決めを行った。これに対し、軸受７０に設けた位置決め穴に筐体６０に設けた位置決め突部を嵌合することにより筐体６０に対し軸受７０の位置決めを行ってもよい。
【００２２】
上記実施例では、揺動軸１００の軸上に位置する軸部５５内にフラットケーブル９０を通したが、揺動軸１００の軸上以外の箇所のハウジング５４にフラットケーブル９０を通してもよい。
また、上記実施例では本発明の液晶表示ユニットの支持構造を複合機に適用したが、複合機に限らず、液晶表示ユニットを支持体で揺動可能に支持するのであれば、どのような装置に用いる液晶表示ユニットの支持構造に本発明を適用してもよい。
【図面の簡単な説明】
【００２３】
【図１】本発明の一実施例に係る液晶表示ユニットの支持構造を示す斜視図。
【図２】液晶表示ユニットの一方の軸部を示す模式図。
【図３】液晶表示ユニットの軸部を示す模式図。
【図４】（Ａ）は軸受を示す斜視図、（Ｂ）は（Ａ）のＢ方向矢視図。
【図５】本発明の一実施例に係る画像入出力装置の斜視図。
【図６】本発明の一実施例に係る画像入出力装置の模式図。
【符号の説明】
【００２４】
１  複合機（画像入出力装置）、５０  液晶表示ユニット、５５、５６  軸部、６０  筐体（支持体）、６４、７０  軸受、７２  筒部、７３  スリット、７６  鍔部（取付部）、７８  位置決め突部、８０  リングばね（締付部材）
【図１】
2005084488.tif 000003
【図２】
2005084488.tif 000004
【図３】
2005084488.tif 000005
【図４】
2005084488.tif 000006
【図５】
2005084488.tif 000007
【図６】
2005084488.tif 000008